Podtech/llm-jp-corpus-v4-ja_patent huggingface dataset:
(57)【要約】【目的】    水溶性浸出物封入パック（２）をペット用水飲み皿（１）に入れた際パック自体が浮き上がったり、ペットによって喰いちぎられ破損することが無くなり、直接パック（２）をペットの舌等で触れることが無くなり、更には水等が無くなれば、上から継ぎ足すことで常にパック（２）内の浸出物がある程度の濃度で保つことの出来るペット用水飲み皿を提供すること。【構成】    不織布等からなる水溶性浸出物を封入したパック（２）を底部（９）に置き、予め複数個の穴（４）が設けられた中皿（３）で該パック（２）にフタをし、その後ペット用水飲み皿（１）の内側（１０）の適宜位置まで、水又はぬるま湯等の浸出物を溶かし出す液体（５）を入れるようにしたものである。【選択図】図１
2005295981.tif 000002
【特許請求の範囲】
【請求項１】
不織布等からなる水溶性浸出物を封入したパック（２）を底部（９）に置き、予め複数個の穴（４）が設けられた中皿（３）で該パック（２）にフタをし、その後ペット用水飲み皿（１）の内側（１０）の適宜位置まで、水又はぬるま湯等の浸出物を溶かし出す液体（５）を  入れることを特徴とするペット用水飲み皿（１）。
【請求項２】
中皿（３’）がメッシュ状の穴（７）として形成されたことを特徴とする特許請求項１に記載のペット用水飲み皿（１）。
【請求項３】
ペット用水飲み皿（１）の内側にひっかけ部（８）を設けておき、該ひっかけ部（８）に留まるようツメ（６）が中皿（３’）に設けられたことを特徴とする特許請求項１に記載のペット用水飲み皿（１）。
【発明の詳細な説明】
【技術分野】
【０００１】  本発明は、ペット用水飲み皿に関するものである。
【背景技術】
【０００２】  従来、犬、猫等の水飲み皿は、いわゆるお皿形状のものに水を入れるだけのものであった。又、ペットボトル等を利用してケージに取り付けて給水する構造のものがあった。
【発明の開示】
【発明が解決しようとする課題】
【０００３】  最近、トルマリンや水晶等のように水をおいしく活性化させ、脱臭、抗菌効果をもたらす浸出物やペットの飲料水に味付けしたり、ビタミン、ミネラル更には健康のために薬剤等の水溶性浸出物を封入した不織布で出来た使い捨てタイプのパックがある。しかし、このパックタイプのものをペット用水飲み皿に入れて使用すると、水飲み皿に水を入れた際、パック自体が浮き上がったり、ペット自身が歯で喰いちぎったりする欠点があった。
又、常に該パックからある程度の濃度で常に浸出物を浸出さすには、ペットの飲む動作の際に、舌等が直接パックに触れないようにしなければならず、例えば一回の給水動作のたびにパックを入れて、ある程度浸出物が浸出したらパックを取り出さなければならず、その保管管理にも注意と手間が必要となる欠点があった。
【課題を解決するための手段】
【０００４】  上記課題を解決するために本発明は、不織布等からなる水溶性浸出物を封入したパック（２）を底部（９）に置き、予め複数個の穴（４）が設けられた中皿（３）で該パック（２）にフタをし、その後ペット用水飲み皿（１）の内側（１０）の適宜位置まで、水又はぬるま湯等の浸出物を溶かし出す液体（５）を入れておく。
本発明は以上のような構成からなるペット用水飲み皿である。【０００５】  本発明は以上の構成であるから、パックを常に水飲み皿の底部で保持できる。
【発明の効果】
【０００６】  本発明のペット用水飲み皿（１）は、以上のような構造であるため、様々な用途に用いられる水溶性浸出物封入パック（２）をペット用水飲み皿（１）に入れた際パック自体が浮き上がったり、ペットによって喰いちぎられて破損することが無くなり、直接パック（２）をペットの舌等で触れることが無くなる。
又、水等が無くなれば、上から継ぎ足すことで常にパック（２）内の浸出物がある程度の濃度で保たれることになる。
更にはパック（２）の効果が無くなれば、中皿（３）をはずして取り替えるだけでよく、そのため保管管理も非常に簡便なものとなる。
【発明を実施するための最良の形態】
【０００７】  本発明におけるペット用水飲み皿（１）及び中皿（３），（３’）の形状、厚み、大きさ、色等のデザインや材質、製造方法、更には中皿（３），（３’）等の組み込み方法等はある程度の強度を持ち、水等に入れて有害物質を出さないものであれば、陶器や樹脂等で成形されるものが適しているがなんら特に限定されるものではない。
水溶性浸出物を封入したパック（２）の大きさに合うよう底部（９）の大きさ、深さ等を決めるのが最適であるが、これも特に限定はされない。
例えば中皿（３’）を樹脂成形したものとし、水飲み皿本体は陶器製というふうに別々に組み合わせて用いても何ら限定されることはない。
本発明でいう水溶性浸出物としては、トルマリンと水晶の混合物からなり、水を活性化させ、脱臭、抗菌効果を持ついわゆるおいしい水の素、飲料水に味付けしたりするもの、ビタミンやミネラルが溶出するもの、薬剤を長期に渡り浸出させる薬剤含有物等が上げられ、特に限定されることはないが、特においしい水の素が適している。
【実施例】
【０００８】  以下、本発明の実施例を図１、図２、図３、図４及び図５で説明するが、これによって本発明は限定されるものではない。
ペット用水飲み皿（１）には予め、不織布等からなる水溶性浸出物を封入したパック（２）の置く底部（９）及び中皿（３）でフタが閉じられるようにテーパー形状部（１２）を設けておく。
該中皿（３）には、複数個の穴（４）が設けられており、パック（２）が置かれた後、中皿（３）でフタをし、水又はぬるま湯等の浸出物を溶かし出す液体（５）を内側（１０）の適宜位置まで張ることにより、該穴（４）から浸出物が水又はぬるま湯等の浸出物を溶かし出す液体（５）に溶けだし、循環するのである。
なお、中皿（３）には、パック（２）の取り替えや水飲み皿本体の掃除の際にはずし易いよう切欠け部（１１）が設けられている。
なお、中皿（３’）は図４のようにメッシュ状の穴（７）として形成されていてもよい。又、中皿（３’）には、図５のごとくペット用水飲み皿（１）の内側ひっかけ部（８）に留まるようツメ（６）が一個又は複数個予め設けておいても良い。
【図面の簡単な説明】
【０００９】
【図１】  本発明の１実施例を示す斜視図である。
【図２】  本発明の１実施例を示す平面図である。
【図３】  本発明の図２の１断面を示す断面図である。
【図４】  本発明の他の実施形態の中皿（３’）を示す平面図である。
【図５】  本発明の他の実施形態の中皿（３’）を組み込んだ断面図である。
【符号の説明】
１  ペット用水飲み皿  ２  水溶性浸出物を封入したパック  ３，３’  中皿  ４  穴  ５  水又はぬるま湯等の浸出物を溶かし出す液体  ６  ツメ  ７  メッシュ状の穴  ８  ひっかけ部  ９  底部  １０  内側  １１  切欠け部  １２  テーパー形状部
【図１】
2005295981.tif 000003
【図２】
2005295981.tif 000004
【図３】
2005295981.tif 000005
【図４】
2005295981.tif 000006
【図５】
2005295981.tif 000007
(57)【要約】      （修正有）【課題】  ガーデニングなどをする時に、花、種苗、植木、タイル、小石などを、等間隔に植えたり、並べたり、円を分割したり、幾何学模様などを容易に作り出すためのガーデニング用定規を提供する。【解決手段】  Ｌ型の棒に目盛ゲージが付き、紐取り付け用金具３が、任意の位置で工具なしで固定でき、１本の長い紐だけで、紐取り付け用金具の凸部７に巻きつけ、凸部頭部の弛み止め防止爪８で押さえられるようにしたガーデニング用定規。【選択図】  図１
2005295982.tif 000002
【特許請求の範囲】
【請求項１】
Ｌ型の棒に目盛ゲージが付き、紐取り付け用金具が、任意の位置で工具なしで固定でき、１本の長い紐だけで、紐取り付け用金具の凸部に巻きつけ、凸部頭部の弛み止め防止爪で押さえられるようにしたガーデニング用定規。
【発明の詳細な説明】
【技術分野】
【０００１】  本発明は、公園や家庭などで花、植木、種苗、タイル、小石などを等間隔に植えたり、幾何学的模様を容易に作りだすための用具に関するものである。
【背景技術】
【０００２】  従来、ガーデニングで、花や種苗、レンガ、タイル、小石などを等間隔に並べる場合や、幾何学的模様を作る時は、用具などを使わずに見た目だけで並べていくのが多く、例え紐や定規などを使っても対応しきれず、正確性に欠け、曲線になっていた。
【発明の開示】
【発明が解決しようとする課題】
【０００３】  これら曲線になる原因は、面積が広すぎる、用具の不慣れ、紐の張り方や、結びの強弱など人為的なものが多い。本発明は、これらの原因をなくすために、それぞれの操作が容易にできるものを作ることによって、これらの問題点を解決するためになされたものである。
【課題を解決するための手段】
【０００４】  図１は、Ｌ型の棒に目盛ゲージが付き、紐取り付け用金具が任意の位置で固定でき、１本の長い紐だけで、紐取り付け用金具の凸部に巻きつけ、凸部頭部の弛み止め防止爪で押さえられるようにしたガーデニング用定規である。
【発明の効果】
【０００５】  従って次のような効果がある。
▲１▼数本の直線や斜線が同時に１度で現されるようにしたものであり、時間の節約ができる。
▲２▼１本の長い紐の長さ分までの面積まで対応できる。
▲３▼何組かをセットにして使うことで、幾何学的模様が容易に作れる。
▲４▼結ばずに、巻きつけて留める形式のものであるから熟練を要しない。
【発明を実施するための最良の形態】
【０００６】  以下、本発明の実施形態について説明する。
（イ）  本体（１）の垂直面（１５）に、目盛（２）と、紐取り付け用金具（３）を固定するための隙間（５）が設けられている。紐取り付け用金具は、隙間を自由に移動ができて、任意の目盛位置で固定され、必要数だけ増減できる。Ｌ棒の水平面（１４）には棒を固定する穴（４）が開いていて、これを利用して地面に固定する。
（ロ）  この紐取り付け用金具は、Ｌ型で数ミリの厚みがあり、１辺には紐を巻きつけるための凸部（７）があり、その頭部に紐が弛まないための爪（８）が付き、もう１辺には本体に固定するための穴が開いていて、回り止め付きボルト（６）を裏から通して、表側で座金（１１）とワッシャ（１２）と蝶ナット（９）によって取り付けられる。
（ハ）  紐取り付け用金具の固定は、回り止め付きボルトと蝶ナットによってなされるので、ドライバーやスパナなどの工具が要らないし、使用される紐の種類は、丈夫で、よじれ難いものを使用し、十分な長さのものを１本用意すればよい。
本発明は以上の構成になっていて、次に具体的な使用例について以下説明する。例えば図５のように広い面積を５分割する場合は、Ｌ型の棒を２本用意し、それぞれに紐取り付け用金具の矢印を目盛に合わせて等間隔に５個ずつ取り付ける。１本のＬ棒はそのまま面積の端部に固定し、もう一方のＬ棒は分割に必要な長さの離れた位置に固定し、それに一本の長い紐（１３）で取り付け用金具からでている凸部（７）にＡＢＣ〜Ｊまでの順番に巻きつけていき、弛み止めストッパー（８）に留めることによって整然とした条ができる。Ｌ棒を数本用意してそれぞれ交差させることによって幾何学的模様が作り出される。
【図面の簡単な説明】
【０００７】
【図１】本発明の斜視図
【図２】本発明側面図
【図３】本発明固定ボルト分解図
【図４】本発明凸部詳細図
【図５】本発明使用例図
【符号の説明】
【０００８】    １      本体
２      目盛
３      紐取り付け用金具
４      固定用穴
５      隙間
６      ボルト
７      凸部
８      弛み防止爪
９      蝶ナット
１０    回り止め
１１    座金
１２    ワッシャ
１３    紐
１４    水平面
１５    垂直面
【図１】
2005295982.tif 000003
【図２】
2005295982.tif 000004
【図３】
2005295982.tif 000005
【図４】
2005295982.tif 000006
【図５】
2005295982.tif 000007
(57)【要約】【課題】釣り竿にセットされた、仕掛け、針、ハリスを縺れ無い様に収納、巻き取る。次に素早く取り出せる為の収納、巻き取り。【解決手段】図１の竿先を守るヘッドキャップＡに、仕掛け巻き取りガイドＥを上下に取り付け、直接巻き取り、仕掛けを竿から外さなくて収納。巻き取る時、仕掛け針数本のハリス（釣り糸）が弛み外れ、縺れ無い様に長さを調整出来る、仕掛け針を引っ掛ける穴を多数設けて、巻き取る。【選択図】図１
2005295985.tif 000002
【特許請求の範囲】
【請求項１】
釣り竿の仕掛けと針の巻き取り装置をヘッドキャップに取り付ける。
【請求項２】
仕掛け針数本を掛ける穴を多数設け仕掛けのハリスと道糸との相互の緩みを無して巻取り、外れ縺れを無くする。
【発明の詳細な説明】
【技術分野】
【０００１】釣竿にて魚釣りをしていて、移動、又は終了する時数本の針付仕掛けを竿のヘッドキャップに巻取り、釣り竿共に収納して次に取り出すとき素早く簡単に出せる。
【背景技術】
【０００２】仕掛けを取り外していた。
違う装置に巻きゴム等で竿に取り付けていた。
仕掛けを外し、捨てていた。【０００３】
【特許文献】特願平１１−３５６３８０
【発明の開示】
【発明が解決しようとする課題】
【０００４】竿先に仕掛けを取り付けたまま、移動、又は持ち帰ると縺れる。竿収納ケースに、仕掛けを巻き取らないまま入れると確実に縺れる。縺れ防止と素早く巻き取れ、素早く仕掛けられること。
【課題を解決するための手段】
【０００５】仕掛け、針、ハリス、道糸を巻き取るとき長さが調整でき、弛まず巻き取れる。ガイドから外れ無い様に突起を設け、針を引っ掛け弛まない様、引っ掛け穴を多数設ける。
仕掛けの針が、５本くらいになっても、ハリス針が弛まず、解けないよう引っ掛け穴に調整し、引っ掛け巻き取れる。
【発明の効果】
【０００６】本発明は、釣り竿の仕掛けを簡単、素早く巻き取り移動、収納され、次に素早く仕掛けを出せ魚釣りが素早く出来る。数本の仕掛け針、ハリスも弛まず、縺れない。
【図面の簡単な説明】
【０００７】図１は正面図、釣竿ヘッドキャップＡに、仕掛け巻き取りガイドＥを上下につけ、仕掛け針Ｃを引っ掛ける穴Ｂを多数設け仕掛け針Ｃ、Ｃ‘等が外れ無い様、ハリスが弛まない様、巻き取れる。
【符号の説明】
【０００８】Ａは釣竿ヘッドキャップ
Ｂは仕掛け針引っ掛け穴多数
Ｃは仕掛けの針、Ｃ‘、Ｃ’‘仕掛け針多数
Ｄは針についたハリス（釣り糸）
Ｅはハリス、道糸のはずれ防止の突起（ガイド）
Ｆは道糸
【図１】
2005295985.tif 000003
(57)【要約】【課題】  法から見ても、モラルから見ても何の問題も無く、飲む人を選ばない、炭酸飲料が提供出来る。【解決手段】  麦茶・甘味料・ホップ（ホップペレット）を合わせて煮出し、炭酸水で割るだけなのでアルコ−ル発酵を伴わず、まったくアルコ−ルを含まない、アルコ−ルレスのビ−ル風味の炭酸飲料の製造方法を発見した。【特許請求の範囲】
【請求項１】
麦茶・甘味料・ホップ（ホップペレット）・炭酸水・香料を使用したビ−ル風味のアルコ−ルレスの炭酸飲料の製造方法。
【発明の詳細な説明】
【発明の詳細な説明】
【技術分野】
【０００１】  この発明は、ビ−ル風味を麦茶・甘味料・ホップ（ホップペレット）・炭酸水・香料をブレンドして作る炭酸飲料の製造方法である。
【背景技術】
【０００２】  従来のノンアルコ−ルビ−ルでは、製造過程でアルコ−ル発酵を伴うためアルコ−ルの含有を減少させることが出来ても、含有自体を無くす事が出来ない。
また、ビ−ル製造は工程が複雑なので、製造するのに手間と時間がかかる。
【発明が解決しようとする課題】
【０００３】  アルコ−ル１％未満は、酒税法では酒にはならないが、アルコ−ルが含有している事には変わりなく、量を多く摂取すれば飲酒と同じである。
本発明は、ビ−ル風味をアルコ−ル発酵を行わずに製造し、アルコ−ル含有率０％の気軽に飲めるビ−ルフレ−バ−の炭酸飲料の製造方法である。
【課題を解決するための手段】
【０００４】  上記の問題を解決するために、従来と違った製造方法でビ−ルの風味を作り出す手段を発見した。
製造方法は次の通りである。
（イ）水  １Ｌ・麦茶のパック  １袋（１Ｌに対して１袋のパックで水出し・煮出し両用タイプ）・ホップペレット  １ｇ（α酸３．０〜３．３％の物）・甘味料３ｇ（上白糖）を蓋付きの鍋もしくはやかんに、全部の材料を合わせて火にかける。
（ロ）沸騰したら、さらに中火にして６０分煮る。
（ハ）煮出した原液を冷ます。（冷蔵庫で良く冷やすと更に良い。）
（二）冷やした原液１００ＣＣに対して炭酸水４００ＣＣで割るとちょうど良いビ−ル風味の炭酸飲料が出来る。（原液１：炭酸水４の割合）
（ホ）割ることにより炭酸の強さが弱まるので、更に炭酸を注入する。
【発明を実施するための最良の形態】
【０００５】  上記の製造方法はあくまでも基本の製造方法なので、さらに各種香料（フレ−バ−）を加えることにより、味のバリエ−ションを増やすことが可能である。
実験結果としては、ホップ（ホップペレット）もしくは甘味料の種類を変えるだけでも、一味違った風味を楽しむことが出来る。ノンカロリ−の甘味料を使用すれば、ダイエットしている人でも飲める。天然素材が主成分なので、健康飲料にもなり、体にやさしい飲み物である。
また、製造方法も至って簡単なので、製造コストを削減出来る上、発酵工程が無い分完成までの手間と時間を大幅に短縮出来る。
【発明の効果】
【０００６】  麦茶が主成分でアルコ−ルを含有していない炭酸飲料なので次のような効果がある。
（Ａ）飲んでも車の運転が出来る。
（Ｂ）昼夜を気にせずに、ビ−ル風味を楽しむことが出来る。
（Ｃ）未成年者でも炭酸飲料として飲める。
（Ｄ）医者からアルコ−ルを止められている病人・妊婦でも、お茶の炭酸飲料なので飲める。
（Ｅ）ノンカロリ−の甘味料の使用でダイエットを気にしている女性も愛飲出来る。
（Ｆ）製造工程が簡単なので、ノンアルコ−ルビ−ルよりも製造コストが削減出来る。
（Ｇ）国外でもアルコ−ルレスのビ−ル風味の炭酸飲料は販売されていないので、国内のみならず、世界規模で販売を展開出来る。
(57)【要約】【課題】  比較的に弱い力で、安全に剪定できるはさみを提供する。【解決手段】  刃部分と柄部分を持つ２つの部品を軸で回転可能に連結したはさみにおいて、刃部分の先端と軸を結ぶ軸線と刃部分の切断部分がほぼ重なり、刃部分の切断部分が凹状に形成されている。【選択図】    図１
2005295901.tif 000002
【特許請求の範囲】
【請求項１】
刃部分と柄部分を持つ２つの部品を軸で回転可能に連結したはさみにおいて、刃部分の先端と軸を結ぶ軸線と刃部分の切断部分がほぼ重なり、刃部分の切断部分が凹状に形成されていることを特徴とするはさみ。
【請求項２】
請求項１記載のはさみにおいて、一方の部品の刃部分の切断部分に１つの凹形状が形成されており、他方の部品の刃部分の切断部分に２つの凹形状が形成されていることを特徴とするはさみ。
【請求項３】
請求項１記載のはさみにおいて、一方の部品の刃部分の切断部分に１つの凹形状が形成されており、他方の部品の刃部分の切断部分に１つの凹形状が形成されていることを特徴とするはさみ。
【請求項４】
請求項１記載のはさみにおいて、一方の部品の刃部分の切断部分に複数の凹形状が形成されており、他方の部品の刃部分の切断部分に複数の凹形状が形成されていることを特徴とするはさみ。
【発明の詳細な説明】
【技術分野】
【０００１】
本発明は、はさみに関し、特に剪定に適したはさみに関する。
【背景技術】
【０００２】
図６は、一般的なはさみを示す図であり、生け花等の剪定にも用いられている。このはさみ１０は、ほぼ対称的な２つの部品からなり、各部品は、刃部分１２が柄部分１４の延長上に一体に形成されており、部品同士は軸１６によって回転可能に連結されている。軸１６と刃部分の先端を結ぶ線Ｘ（以下、軸線とよぶ）は刃部分１２のほぼ中央を通り、柄部分の内側に延びている。すなわち、刃部分の切断部分（内側部分）は軸線Ｘより内側に位置している。また、切断部分は直線形状である。
【０００３】
また、種々の剪定ばさみが提案されているが、その中で、摘花ハサミが特開平９−１３５６２９号公報に、自在剪定バサミが特開平８−３３６６７９号公報に記載されている。
これらのハサミは、前述のハサミと同様に、軸は刃部分のほぼ中央に位置しており、刃部分の切断部分は直線形状である。
【特許文献１】特開平９−１３５６２９号公報
【特許文献２】特開平８−３３６６７９号公報
【発明の開示】
【発明が解決しようとする課題】
【０００４】
しかし、前述のいずれのハサミも軸が刃部分の中央にあり、刃部分の切断部分が直線状であるので、開き角が小さく、また、切断部分が直線状であるので、切断の際に枝や幹が外方に滑り易く上手く切断できにくい。開き角をなす位置が軸から離れているので、切断の際には、強い力を必要としている。そのため、切断の際に強い力を加えると、枝や幹が滑り指を柄部分で強く挟みがちである。
【０００５】
したがって、本発明は、比較的に弱い力で、安全に剪定できるはさみを提供することにある。
【課題を解決するための手段】
【０００６】
上記課題を解決するために、本発明のはさみは、刃部分と柄部分を持つ２つの部品を軸で回転可能に連結したはさみにおいて、刃部分の先端と軸を結ぶ軸線と刃部分の切断部分がほぼ重なり、刃部分の切断部分が凹状に形成されていることを特徴とするものである。
【発明の効果】
【０００７】
本発明では、比較的に弱い力で、安全に剪定できるはさみが得られる。
【発明を実施するための最良の形態】
【０００８】
本発明は、刃部分と柄部分を持つ２つの部品を軸で回転可能に連結したはさみにおいて、刃部分の先端と軸を結ぶ軸線と刃部分の切断部分がほぼ重なり、刃部分の切断部分が凹状に形成されていることを特徴とするはさみである。
【実施例】
【０００９】
次に、図面を参照して本発明の実施例を説明する。図１は本発明の実施例のはさみ（閉じた状態）を示す正面図であり、図２は、はさみの上刃部品の正面図であり、図３は、は
さみの下刃部品の正面図であり、図４は、はさみの開いた状態の正面図であり、図５は、はさみの平面図である。
【００１０】
図１〜図５において、はさみ１０は、刃部分１２と柄部分１４を持つ２つの部品（上刃部品と下刃部品）を軸１６で回転可能に連結している。図２、図３に示すように、軸１６と刃部分の先端を結ぶ線（以下、軸線と呼ぶ）Ｙは、刃部分の切断部分（内側部分）１８とほぼ重なり合う。これは、刃部分と柄部分とが、通常のはさみの直線形状と異なり、緩やかなＳ字状の曲線をなして一体に形成され、軸１６がその遷移個所に位置しているからである。
【００１１】
また、図２に示す上刃部品では、刃部分１２の切断部分１８は、３つの湾曲部が形成されており、すなわち、軸１６から近い方から２つの凹部１８ａ、１８ｂ、凸部１８ｃが形成されており、これらは軸線Ｙとほぼ重なり合う。
【００１２】
また、図３に示す下刃部品では、刃部分の切断部分１８は、２つの湾曲部が形成されており、すなわち、軸１６に近い方から１つの凹部１８ｄ、１つの凸部１８ｅが形成されており、これらは軸線Ｙとほぼ重なり合う。
【００１３】
前述の実施例の上刃部分には２つの凹部が形成され、下刃部分には１つの凹部が形成されているが、本発明は、これに限定されるものではなく、例えば、上刃部分には１つの凹部が形成され、下刃部分には１つの凹部が形成されてもよく、または、上刃部分には複数の凹部が形成され、下刃部分には複数の凹部が形成されてもよい。
【００１４】
はさみが開いた状態を示す図４を参照すると、刃部分の切断部分の開き角、すなわち、切断部分１８ａと１８ｄのなす角は、図６に示すはさみと比べると、かなり大きい。また、軸１６と開き角の位置との間の距離Ｄは、図６に示すはさみと比べると、かなり短いものである。このため、枝や幹を挟むとき、かなり大きなものを手前に挟むことができ、切断の際には、てこの原理によって、弱い力で切断できる。また、これらの部分はいずれの切断部分も凹状に形成されているので、枝や幹を滑らせにくくしている。
【００１５】
なお、太い枝や幹の切断の際には、切断部分１８ｂと１８ｄで挟むことにより、切断を行うことができ、細い太い枝や幹の切断の際には、切断１８ｃと１８ｅを用いて切断することもできる。
【図面の簡単な説明】
【００１６】
【図１】図１は、本発明のはさみの正面図である。
【図２】図２は、はさみの上刃部品の正面図である。
【図３】図３は、はさみの下刃部品の正面図である。
【図４】図４は、はさみを開いた状態で示す正面図である。
【図５】図５は、はさみの平面図である。
【図６】図６は、従来例のはさみの正面図である。
【符号の説明】
【００１７】
１０  はさみ
１２  刃部分
１４  柄部分
１６  軸
１８  切断部分
【図１】
2005295901.tif 000003
【図２】
2005295901.tif 000004
【図３】
2005295901.tif 000005
【図４】
2005295901.tif 000006
【図５】
2005295901.tif 000007
【図６】
2005295901.tif 000008
(57)【要約】【課題】従来のエベレットの多世界解釈とファインマンの過去に遡る電子の両理論主張を実現実際化する。【解決手段】電子銃で電子を放射するかしないかの間隔で近況歴史を２進法表現し、多世界のその電子の観測者に現在の情報を教え多世界からは現在へ向けて過去に遡る電子を対消滅を起こすか起こさないかの間隔の２進法で未来情報を送り現在情報と多世界情報のやり取りを可能とする。【選択図】図３
2005110500.tif 000002
【特許請求の範囲】
【請求項１】
（ィ）エベレットの多世界解釈で電子が電子銃という機械から電子として放射され乾板に１つの電子として足跡を残す。
（ロ）それらの電子がどこで観測されるかが確率の波の中にあり、確率解釈さらには多世界解釈で多世界の中で観測される電子である。
（ハ）それを多世界で観測した者が、ファインマン物理学で陽電子と電子の対消滅を起こすか起こさないかの間隔で２進法を作り、これによって過去である電子銃で電子を放射した時間まで過去を遡り対消滅で過去に反転し過去に向かう電子で多世界の未来情報を送り返す。
（ニ）送り返す所は電子銃によって電子を放射するかしないかの間隔の２進法で現在のどの近況歴史か分かるようにした現在という歴史時点である。
以上の如く構成される多世界の未来情報を電子を利用しさらに陽電子の電子は過去に遡るという自然法則を利用した多世界へ向けて現在歴史を電子２進法で教え、未来の多世界から届く情報を知りこれらの多世界とやり取りする多世界未来情報送受信やり取り装置。
【発明の詳細な説明】
【技術分野】
【０００１】  本発明は、多世界の未来情報と現在の情報を電子と陽電子の２進法を利用してやり取りする装置に関する。
【背景技術】
【０００２】  従来、理論としての多世界解釈と陽電子の過去への遡りがあり、最近では並行宇宙のある確率が高く多世界解釈も見直された（例えば非特許文献１参照。）。【０００３】
【非特許文献１】  「図解雑学タイムマシン」ナツメ社２００３年ｐ．２１２，ｐ．２１３
【非特許文献２】  「ニュートン２００４年１０月号」ｐ．４５
【非特許文献２】  「アインシュタインとファインマンの理論を学ぶ本」工学社１９９９年ｐ．８０，ｐ．８１
【発明の開示】
【発明が解決しようとする課題】
【０００４】  従来、理論としての多世界解釈と陽電子の過去遡りがあったが実際化していなかった。
【課題を解決するための手段】
【０００５】  電子銃で電子を放射するかしないかの間隔の２進法で現在の近況歴史情報として送り、さらに対消滅を陽電子と電子で起こすか起こさないかの間隔の２進法で過去に未来情報を送るといった２つの技術を合わせて多世界の未来と現在で情報のやり取りをする。
【発明の効果】
【０００６】  上記したように本発明は理論上のままだったものを技術として成立させ、産業上の利用を可能とし多世界と現在での情報のやり取りも可能とした。
【発明を実施するための最良の形態】
【０００７】    以下、本発明の実施例について説明する。図１においては１の電子銃で２のスリットを３の電子が通過し４の乾板に３の電子が足跡を残す。その電子の位置は図２においては６の確率の波の中にあり、その中の多世界からの各電子を観測する。電子銃の電子の放射は放射するかしないかの間隔で近況歴史情報の２進法を作る。６の確率の波の中の各電子を多世界から観測した者がどの世界の歴史か知り、そこへファインマン物理学によって過去に遡る陽電子の電子の性質を利用して、図３において９の対消滅用電子と１１の陽電子とで対消滅を起こすか起こさないかの間隔でその世界の未来情報を２進法で表現し、１２の過去に向かい進む電子で送り返し、現在へ届いたそれらの多世界の未来情報と現在の情報とをやり取りすることを可能とする。
【図面の簡単な説明】
【０００８】
【図１】多世界の観測者に向けての電子放射機斜視図。
【図２】多世界の電子による確率の波の図。
【図３】陽電子と電子による対消滅で過去へ向かい進む電子の図。
【符号の説明】
【０００９】  １は電子銃、２はスリット、３は電子、４は乾板、５は２乗する前の図、６は確率の波、７は時間軸、８は未来、９は対消滅用電子、１０は対消滅、１１は陽電子、１２は過去へ向かい進む電子、１３は空間軸、１４は時空図。
【図１】
2005110500.tif 000003
【図２】
2005110500.tif 000004
【図３】
2005110500.tif 000005
(57)【要約】【課題】  ノイズやチャタリング等の誤動作を防止する遅延回路を内蔵した電圧保護検出回路を提供する。【解決手段】  ＤＣ／ＤＣ回路１の出力電圧と基準電圧とを比較するコンパレータ５と、このコンパレータ５の出力および前記ＤＣ／ＤＣ回路１に内蔵されている発振回路２からのクロック出力を入力し、出力電圧が基準電圧より高い場合に前記クロックを計数して、設定カウント数を計数した場合にＤＣ／ＤＣ回路１に制御信号を出力するカウンター内蔵の遅延回路６とを備えたことにより、簡単な回路構成で遅延回路６を持つ保護回路が実現できる。また遅延回路６内のカウンター値を適切な設定することにより、簡単に検出時間を調整できる。【選択図】図１
2005110448.tif 000002
【特許請求の範囲】
【請求項１】
ＤＣ／ＤＣ回路の出力電圧と基準電圧とを比較するコンパレータと、このコンパレータの出力および前記ＤＣ／ＤＣ回路に内蔵されている発振回路からのクロック出力を入力し、出力電圧が基準電圧より高い場合に前記クロックを計数して、設定カウント数を計数した場合に前記ＤＣ／ＤＣ回路に制御信号を出力するカウンター内蔵の遅延回路とを有することを特徴とする電圧保護検出回路。
【発明の詳細な説明】
【技術分野】
【０００１】
本発明は、電圧保護検出回路に関するものである。
【背景技術】
【０００２】
従来の電圧保護検出回路について図面を参照しながら以下に説明する。
【０００３】
図２において、発振回路２はＤＣ／ＤＣ回路１に内蔵されており、端子３は出力電圧レベルの入力端子であり、内部基準電圧４とともにコンパレータ５に接続される。このコンパレータ５の出力は、ＤＣ／ＤＣ回路１の制御信号として接続される。また、ＤＣ／ＤＣ回路１のＰＷＭ出力は出力端子７に接続される。
【０００４】
以上のように構成された電圧保護検出回路について、以下その動作を説明する。
【０００５】
ＤＣ／ＤＣ回路１が動作してＰＷＭ出力される。ここで得られた出力を分圧した出力をコンパレータ５に入力し、基準電圧と比較する。
【０００６】
仮に、ＤＣ／ＤＣ回路１の出力電圧が目標レベルの時は、出力の分圧電圧は基準電圧より低くなるため、異常電圧検出は検出されず、動作が保持される。また逆に、ＤＣ／ＤＣ回路１の出力電圧が目標レベルより大きくなり過電圧出力となった場合には、出力の分圧電圧も上がり基準電圧より高くなり、コンパレータ５は異常電圧検出を検出して制御信号をＤＣ／ＤＣ回路１に出力し、その制御信号を入力したＤＣ／ＤＣ回路１は動作を停止させる。
【特許文献１】特開昭５３−２９５４９号公報
【発明の開示】
【発明が解決しようとする課題】
【０００７】
図２に示す従来の回路を用いると、ＤＣ／ＤＣ回路などのノイズを発生しやすい回路においてはスパイクノイズやチャタリング等の誤動作が発生しやすく、一瞬オフする可能性があるという課題があった。また、対策としてヒス付きのコンパレート回路を用いた場合には、誤動作は発生しにくくなるがレベル調整が簡単に行かないという課題もあった。
【０００８】
本発明は、上記従来の課題を解決するものであり、簡単な構成で誤動作のないカウンター内蔵遅延回路付きの電圧保護検出回路を提供することを目的とする。
【課題を解決するための手段】
【０００９】
この目的を達成するために本発明の電圧保護検出回路は、ＤＣ／ＤＣ回路の出力電圧と基準電圧とを比較するコンパレータと、このコンパレータの出力および前記ＤＣ／ＤＣ回路に内蔵されている発振回路からのクロック出力を入力し、出力電圧が基準電圧より高い場合に前記クロックを用いて計数して、設定カウント数を計数した場合に前記ＤＣ／ＤＣ回路に制御信号を出力するカウンター内蔵の遅延回路とを有することを特徴とする。
【００１０】
本発明によれば、コンパレータの出力を、ＤＣ／ＤＣ回路に内蔵されたクロック周波数を用いてカウントし、設定カウント数を計数した場合にＤＣ／ＤＣ回路を制御するという作用を有し、簡単に誤動作を防止する遅延回路付き電圧保護検出回路が得られる。
【発明の効果】
【００１１】
本発明は、コンパレータ出力を発振器のクロックを用いた遅延回路を追加することにより、ノイズやチャタリング等の誤動作が起こらない回路を実現する。また、遅延量を簡単に調整できる回路を実現できる。
【発明を実施するための最良の形態】
【００１２】
以下、本発明の実施の形態について、図面を用いて説明する。
【００１３】
図１は第１の実施の形態における遅延回路内蔵型の電圧保護検出回路を示す回路図である。図１において、発振回路２はＤＣ／ＤＣ回路１に内蔵されており、端子３は出力電圧レベルの入力端子であり、内部基準電圧４とともにコンパレータ５に接続される。このコンパレータ５の出力と、ＤＣ／ＤＣ回路１に内蔵している発振回路２のクロックとを入力とした遅延回路６に接続し、この遅延回路６の出力信号をＤＣ／ＤＣ回路１の制御信号として接続される。また、ＤＣ／ＤＣ回路１のＰＷＭ出力は出力端子７に接続される構成をする。
【００１４】
以上のように構成された電圧保護検出回路について、以下その動作を説明する。
【００１５】
本回路は、ＤＣ／ＤＣ回路１の出力電圧が過電圧になった場合、図２に示す従来の回路と同様に、出力分圧電圧が基準電圧より高くなるため、コンパレータ５が出力分圧電圧と基準電圧とをコンパレートすることにより異常電圧が検出され、コンパレータ５から信号が出力される。この出力信号を遅延回路６が入力した時、遅延回路６に内蔵されているカウンターが、ＤＣ／ＤＣ回路１に内蔵されている発振回路２のクロックを用いてカウントする。設定カウントまで異常電圧検出が出力されている場合は、ＤＣ／ＤＣ回路１を制御しオフさせる。
【００１６】
ノイズ・チャタリング等の電圧検出が設定カウントまで出力されていない場合は検出されず、ＤＣ／ＤＣ回路１は動作し続ける。
【産業上の利用可能性】
【００１７】
本発明はＤＣ／ＤＣ回路のようなノイズを発生しやすい回路に適用可能であり、誤動作を簡単に防止することができる。
【図面の簡単な説明】
【００１８】
【図１】本発明の第１の実施の形態における遅延回路内蔵型の電圧保護検出回路を示す回路図
【図２】従来の実施の形態における電圧保護検出回路を示す回路図
【符号の説明】
【００１９】
１  ＤＣ／ＤＣ回路
２  発振回路
３  端子
４  基準電圧
５  コンパレータ
６  遅延回路
７  出力端子
【図１】
2005110448.tif 000003
【図２】
2005110448.tif 000004